(57)【特許請求の範囲】
【請求項１】
導光性の指針本体、前記指針本体に光を入射して発光させる光源、及び、前記光源が搭載された基板、から構成された指針と、前記指針を回転させるモータと、前記指針の背面に配置され前記モータが搭載されるメイン基板と、前記基板と前記メイン基板との間を接続する電線と、を備えた指針装置において、
前記電線が、フラット回路体で構成され、
前記フラット回路体の幅方向が、前記メイン基板と垂直になるように前記フラット回路体の一端部が前記メイン基板に接続され、
前記フラット回路体の一端部には、その幅方向の一方側の端部に前記メイン基板と接続される第１接続部が設けられ、
前記フラット回路体の他端部には、その幅方向の他方側に向かって突出する凸部と、当該凸部の突出方向の端部に形成された前記基板と接続される第２接続部と、が設けられ、
前記凸部は、その先端が幅方向に沿って折り曲げられて、前記基板上に重ねられている
ことを特徴とする指針装置。
【請求項２】
前記メイン基板上に設けられ、前記指針の回転に伴う前記フラット回路体の前記メイン基板上での可動範囲を囲む保護部材をさらに備えたことを特徴とする請求項１に記載の指針装置。
【請求項３】
前記フラット回路体は、その他端が前記基板の厚さ方向一方側の面に重ねられて前記基板に電気的に接続され、前記他端に連なる部分が前記基板の幅方向の一方の側面、前記基板の厚さ方向他方側の面に重ねられて巻き付けられている
ことを特徴とする請求項１又は２に記載の指針装置。
【発明の詳細な説明】
【技術分野】
【０００１】
本発明は、指針装置に係り、特に、指針と、前記指針を回転させるモータと、前記モータが搭載される前記指針の背面に配置されたメイン基板と、前記モータによって前記指針とともに回転する基板と、前記基板に搭載され前記指針に光を入射して前記指針を発光させる光源と、前記基板と前記メイン基板との間を接続する電線と、を備えた指針装置に関するものである。
【背景技術】
【０００２】
通常の回転指示用の目盛部の正面側に、表示器を配置するものが考えられている。このような配置とすれば、指針によって表示器の視認が邪魔されることなく、目盛部の中央に表示器を配置することができる。
【０００３】
しかしながら、目盛部が例えば車速などの重要な情報を表示し、表示器が現在時刻などの比較的重要でない情報を表示するような場合など、目盛部を表示器より正面側に配置して、目盛部の視認性を高めたいという要望があった。
【０００４】
そこで、このような要望に応えるため、指針の先端部を回転軸に向かって折り返した後にさらに回転軸から離れた側に折り返して異形に形成することにより、表示器と干渉させることなく目盛部を指示させる指針装置が提案されている。
【０００５】
このように回転軸を中心に回転する指針を自発光させるには、回転軸を囲むようにＬＥＤ光源を配置する必要があり、指針回転時の照明ムラを無くすことが困難である、という問題があった。また、このような複雑な形状の指針を自発光させるには、回転軸側から入射した光を指針先端まで導くために数多くの反射面を設ける必要がある。このため、反射による光の減衰が大きく十分な発光輝度が得られない、という問題があった。
【０００６】
そこで、この問題を解決するために、例えば図８及び図９に示すような指針装置を組み込んだ表示装置１００が提案されている（特許文献１）。同図に示すように、表示装置１００は、表示器としての液晶ディスプレイ（ＬＣＤ）１０１と、目盛部１０２と、メイン基板１０３と、モータ１０４と、指針１０５と、リード線１０６と、を備えている。上記ＬＣＤ１０１は、ウォーニングや現在時刻などの情報が表示されている。
【０００７】
上記目盛部１０２には、正面に後述する指針１０５が指示する指標（例えば数字）が印刷などにより形成されている。上記メイン基板１０３は、ＬＣＤ１０１の背面に設けられていてる。モータ１０４は、モータ本体１０４Ａがメイン基板１０３の背面側に搭載され、回転軸１０４Ｂがメイン基板１０３の正面側に突出している。上記指針１０５は、基板１０５Ａ、ＬＥＤ光源１０５Ｂ、指針本体１０５Ｃ、取付部１０５Ｄ、など備えている。上記基板１０５Ａは、回転軸１０４Ｂに取り付けられ回転軸１０４Ｂの径方向外側に向かって延在する。
【０００８】
上記ＬＥＤ光源１０５Ｂは、上記基板１０５Ａの径方向外側の端部の正面側に搭載されている。上記ＬＥＤ光源１０５Ｂは、正面に向かって光を出射する。上記指針本体１０５Ｃは、導光性の部材から構成されていて、図８に示すように、ＬＣＤ１０１よりも外側から正面側に向けて立設した後、目盛部１０２中央に向けて折り曲げられてＬＣＤ１０１及び目盛部１０２間を通って目盛部１０２の内周面まで延在し、その後正面に向けて折り曲げられて目盛部１０２の正面まで立設し、さらに目盛部１０２外側に向けて折り曲げられて目盛部１０２の正面を指示するように設けられている。取付部１０５Ｄは、指針本体１０５Ｃに固定されていて、指針本体１０５Ｃを基板１０５Ａに取り付ける。
【０００９】
上述した表示装置１００は、回転軸１０４Ｂに固定された基板１０５Ａ上にＬＥＤ光源１０５Ｂを設けることにより、指針１０５の回転と同期してＬＥＤ光源１０５Ｂが回転するので、回転時の指針１０５の照明ムラをなくすことができる。また、図８に示すように、ＬＥＤ光源１０５Ｂからの光Ｌを３つの反射面Ｍ１１、Ｍ１２、Ｍ１３で反射させて指針本体１０５Ｃの先端に導くので、反射回数を減らすことができ、指針本体１０５Ｃの輝度が向上する。
【００１０】
また、上記リード線１０６は、上記メイン基板１０３と基板１０５Ａの回転軸１０４Ｂ付近との間に接続された電源供給用の電線である。上記リード線１０６は、基板１０５Ａに半田付けされて電気的に接続されている。このリード線１０６によって基板１０５Ａが回転してもメイン基板１０３から基板１０５Ａに電源を供給することができる。
【００１１】
上述した表示装置１００は、メイン基板１０３と回転する基板１０５Ａとを接続する電線としてリード線１０６を用いていた。しかしながら、リード線１０６は、指針１０５の回転に応じて変形しにくい（可動性が低い）。このため、指針１０５が回転するとリード線１０６と基板１０５Ａとの半田付け部分（接続部分）に応力がかかってしまい、信頼性が不足する懸念があった。しかも、リード線１０６は、変形しにくいため、指針１０５の回転に応じて指針１０５に向かって立ち上がって指針１０５の回転を妨げる恐れがある。
【００１２】
そこで、図９に示すように、規制部１０７の規制本体部１０７Ａとアーム部１０７Ｂとの間にリード線１０６を挟むことにより、リード線１０６の立ち上がりを防いで指針１０５の回転を妨げないようにすることができる。しかしながら、規制部１０７を設けると、規制部１０７にリード線１０６を取り付ける工数が必要となってしまう。しかも、規制部１０７を設けると、ますますリード線１０６の可動性が低くなり、指針１０５が回転するとリード線１０６と基板１０５Ａとの半田付け部分により大きな応力がかかってしまう、という問題があった。
【先行技術文献】
【特許文献】
【００１３】
【特許文献１】特開２０１０−１９６１９号公報
【発明の概要】
【発明が解決しようとする課題】
【００１４】
そこで、本発明は、回転する基板と電線との接続部分に信頼性を損なう応力がかからないようにして、信頼性向上を図ると共に、規制部を設けなくても電線が立ち上がらないようにすることにより、電線の規制部への取り付け作業を不要として作業性の向上を図った指針装置を提供することを課題とする。
【課題を解決するための手段】
【００１５】
上述した課題を解決するための請求項１記載の発明は、導光性の指針本体、前記指針本体に光を入射して発光させる光源、及び、前記光源が搭載された基板、から構成された指針と、前記指針を回転させるモータと、前記指針の背面に配置され前記モータが搭載されるメイン基板と、前記基板と前記メイン基板との間を接続する電線と、を備えた指針装置において、前記電線が、フラット回路体で構成され、前記フラット回路体の幅方向が、前記メイン基板と垂直になるように前記フラット回路体の一端部が前記メイン基板に接続され、前記フラット回路体の一端部には、その幅方向の一方側の端部に前記メイン基板と接続される第１接続部が設けられ、前記フラット回路体の他端部には、その幅方向の他方側に向かって突出する凸部と、当該凸部の突出方向の端部に形成された前記基板と接続される第２接続部と、が設けられ、前記凸部は、その先端が折り曲げられて、前記基板上に重ねられていることを特徴とする指針装置に存する。
【００１６】
請求項２記載の発明は、前記メイン基板上に設けられ、前記指針の回転に伴う前記フラット回路体の前記メイン基板上での可動範囲を囲む保護部材をさらに備えたことを特徴とする請求項１に記載の指針装置に存する。
【００１８】
請求項３記載の発明は、前記フラット回路体は、その他端が前記基板の厚さ方向一方側の面に重ねられて前記基板に電気的に接続され、前記他端に連なる部分が前記基板の幅方向の一方の側面、前記基板の厚さ方向他方側の面に重ねられて巻き付けられていることを特徴とする請求項１又は２に記載の指針装置に存する。
【発明の効果】
【００１９】
以上説明したように請求項１記載の発明によれば、電線が、フラット回路体で構成され、フラット回路体の幅方向が、メイン基板と垂直になるようにフラット回路体の一端がメイン基板に接続されている。従って、基板の回転に応じてフラット回路体が容易に変形できるため、回転する基板とフラット回路体との接続部分に信頼性を損なう応力がかかることがない。また、基板の回転に応じてフラット回路体が容易に変形するため、基板の回転に応じてフラット回路体が立ち上がることがないので、規制部を設ける必要がなく、フラット回路体の規制部への取り付け作業が不要となる。このため、基板とフラット回路体との接続部分の信頼性及び作業性の向上を図ることができる。また、フラット回路体の一端には、その幅方向の一方側の端部にメイン基板と接続される第１接続部が設けられ、フラット回路体の他端には、その幅方向の他方側に向かって突出する凸部と、当該凸部の突出方向の端部に形成された基板と接続される第２接続部と、が設けられている。従って、フラット回路体を捻ったりすることなく、メイン基板と基板とに接続することができ、より一層、基板とフラット回路体との接続部分の信頼性を図ることができる。
【００２０】
請求項２記載の発明によれば、保護部材を設けることにより、保護部材よりも外側に電線が移動することがないので、メイン基板上の電気部品と電線とが干渉することを防止できる。
【００２２】
請求項３記載の発明によれば、フラット回路体は、その他端が基板の厚さ方向の一方の面に重ねて基板に電気的に接続され、他端に連なる部分が基板の幅方向の一方の側面、基板の厚さ方向の他方の面、基板の幅方向の他方の側面に重ねて巻き付けられている。このように、フラット回路体を基板に巻き付けることにより、基板回転時に基板とフラット回路体との間に発生する応力が直接、接続部分にかかることがなく、より一層、基板とフラット回路体の接続部分の信頼性の向上を図ることができる。
【図面の簡単な説明】
【００２３】
【図１】本発明の指針装置を組み込んだ表示装置の一実施形態を示す断面図である。
【図２】図１に示す指針装置を構成する指針が目盛部の最小値を指示しているときの斜視図である。
【図３】図１に示す指針装置を構成する指針が目盛部の最大値を指示しているときの斜視図である。
【図４】図２及び図３に示す指針装置の分解斜視図である。
【図５】図１に示すＦＰＣの展開図である。
【図６】図１に示すＦＰＣ及び基板の斜視図である。
【図７】他の実施形態におけるＦＰＣ及び基板の斜視図である。
【図８】従来の表示装置の一例を示す断面図である。
【図９】従来の表示装置の一例を示す斜視図である。
【発明を実施するための形態】
【００２４】
以下、本発明の指針装置を組み込んだ表示装置について図１〜図６に基づいて説明する。同図に示すように、表示装置１は、表示器としての液晶ディスプレイ（ＬＣＤ）２と、目盛部３と、指針装置４と、を備えている。図１に示すように、ＬＣＤ２は、ＬＣＤ本体５と、後述するメイン基板１０上に設けられたバックライト用のＬＥＤ光源６と、ＬＥＤ光源６から出射される光をＬＣＤ本体５の背面に導く導光板７と、から構成されている。
【００２５】
目盛部３は、図１に示すように、文字板８と、目盛リング部９と、を備えている。文字板８は、例えば中央にＬＣＤ２を露出させる略円形の孔８１が設けられた正面視リング（円弧）状に形成されている。文字板８は、正面に後述する指針１２が指示する指標（例えば数字）が印刷などにより形成されている。目盛リング部９は、透明樹脂などの導光板からなり、文字板８正面の外周縁を覆うようにリング（円弧）状に設けられている。目盛リング部９の正面には、凹状の目盛が設けられている。上述した目盛部３は、ＬＣＤ２の正面側に配置されていて、文字板８に設けられた略円形の孔８１を通じて正面からＬＣＤ２が視認可能となっている。
【００２６】
上記指針装置４は、メイン基板１０と、モータ１１と、指針１２と、電線としてのＦＰＣ（Flexible printed circuits）１３と、保護部材１４と、を備えている。上記メイン基板１０は、ＬＣＤ２の背面に設けられている。上記モータ１１は、モータ本体１５と、回転軸１６と、を有している。モータ本体１５は、メイン基板１０の背面に設けられている。回転軸１６は、メイン基板１０の正面側に突出して設けられている。
【００２７】
上記指針１２は、モータ１１の回転軸１６に固定され回転軸１６の径方向に沿って延在する長尺状の基部１７と、基部１７の正面に固定される基板１８と、基板１８の背面側に搭載され回転軸１６の径方向外側に向かって光Ｌを出射するＬＥＤ光源１９と、指針本体２０と、光漏れ防止カバー２１、２２、２３と、を有している。
【００２８】
まず、上述した指針本体２０について説明する。指針本体２０は、各々棒状の第１部材２０１、第２部材２０２、第３部材２０３、第４部材２０４、及び、指針部２０５、が透明樹脂などの導光性材により一体に設けられている。上記第１部材２０１は、一端がＬＥＤ光源１９と対向し他端がＬＣＤ２の外側面よりも径方向外側まで延在している。また、上記第１部材２０１は、基部１７上に搭載されて固定されている。
【００２９】
さらに、上記第１部材２０１には、図４に示すように、正面に向かって凸となる係止突起２０１Ａが設けられていて、この係止突起２０１Ａが後述する基部１７に係止される。この係止突起２０１Ａは、径方向内側に向かうに従って背面に近づくテーパ面が設けられている。
【００３０】
上記第２部材２０２は、図１に示すように、第１部材２０１の他端から正面に向かってＬＣＤ２よりも正面側、かつ、目盛部３よりも背面側まで立設する。上記第２部材２０２の側面には、図２に示すように、幅方向に向かって凸となる一対の係止突起２０２Ａが設けられていて、この一対の係止突起２０２Ａが後述する係止突起１７４Ａに係止する。
【００３１】
上記第３部材２０３は、図１に示すように、第２部材２０２の正面側の端部から径方向内側に向かって目盛部３の内側面よりも径方向内側まで延在する。上記第４部材２０４は、第３部材２０３の径方向内側の端部から正面に向かって目盛部３よりも正面側まで立設する。上記指針部２０５は、第４部材２０４の正面側の端部から径方向外側に向かって延在し、目盛部３上を指示する。
【００３２】
また、指針本体２０には、第１反射面Ｍ１と、第２反射面Ｍ２と、第３反射面Ｍ３と、第４反射面と、指針反射面Ｍ５と、が設けられている。図１に示すように、上記第１反射面Ｍ１は、第１部材２０１の径方向外側の端部に、受光面Ｍｊと対向する位置に設けられている。第１反射面Ｍ１は、第１部材２０１内を径方向外側に進む光Ｌを正面に向けて反射させて第２部材２０２内を導光させるように、径方向外側に向かうに従って正面に近づくテーパ状に設けられている。
【００３３】
上記第２反射面Ｍ２は、第２部材２０２の正面側の端部に、第１反射面Ｍ１と対向する位置に設けられている。第２反射面Ｍ２は、第２部材２０２内を正面に進む光Ｌを径方向内側に向けて反射させて第３部材２０３内を導光させるように、径方向内側に向かうに従って正面に近づくテーパ状に設けられている。第３反射面Ｍ３は、第３部材２０３の径方向内側の端部に、第２反射面Ｍ２と対向する位置に設けられている。第３反射面Ｍ３は、第３部材２０３内を径方向内側に進む光Ｌを正面に向けて反射させて第４部材２０４内を導光させるように、径方向内側に向かうに従って正面に近づくテーパ状に設けられている。
【００３４】
上記第４反射面Ｍ４は、第４部材２０４の正面側の端部に、第３反射面Ｍ３と対向する位置に設けられている。第４反射面Ｍ４は、第４部材２０４内を正面に進む光Ｌを径方向外側に向けて反射させて指針部２０５内を導光させるように、径方向外側に向かうに従って正面に近づくテーパ状に設けられている。上記指針反射面Ｍ５は、指針部２０５の背面に、径方向外側に向かうに従って正面に近づくテーパ状に設けられている。指針部２０５内を径方向外側に向かって進む光Ｌは、指針反射面Ｍ５で反射されて指針部２０５の正面から出射される。
【００３５】
以上の構成により、ＬＥＤ光源１９から出射された光Ｌは、径方向外側に向かって出射されて受光面Ｍｊから指針本体２０内に導光して第１部材２０１を径方向外側に向かって進み、その後、第１反射面Ｍ１で反射して、第２部材２０２を正面に向かって進む。第２部材２０２を正面に向かって進む光Ｌは、第２反射面Ｍ２で反射して、第３部材２０３を径方向内側に向かって進み、その後、第３反射面Ｍ３で反射して、第４部材２０４を正面に向かって進む。第４部材２０４を正面に向かって進む光Ｌは、第４反射面Ｍ４で反射して、指針部２０５を径方向外側に向かって進む。指針部２０５を径方向外側に向かって進む光Ｌは、指針反射面Ｍ５で反射されて、指針部２０５の正面から出射される。これにより、正面から見ると指針部２０５の正面が光輝して視認される。
【００３６】
また、上述した指針本体２０には、光漏れ防止カバー２１、２２、２３が設けられている。光漏れ防止カバー２１、２２、２３は、指針本体２０の表面のうち指針部２０５の正面を除いた部分を覆うように設けられている。
【００３７】
次に、上記基部１７について説明する。基部１７は、図１に示すように、合成樹脂などから構成されていて、文字板８に沿った長尺状に設けられている。そして、基部１７は、図２〜図４に示すように、指針本体２０及び後述する基板１８が取り付けられる取付部１７１と、バランスウエイト部１７２と、が一体に設けられている。
【００３８】
上記取付部１７１は、第１部材２０１が搭載される底壁部１７３と、互いの間に第１部材２０１を位置付ける底壁部１７３の幅方向両端から立設する一対の立壁部１７４と、が設けられた樋状に形成されている。上記底壁部１７３のバランスウエイト部１７２から離れた側は、薄肉に設けられ、上記底壁部１７３のバランスウエイト部１７２側は、厚肉に設けられている。
【００３９】
また、上記取付部１７１には、一対のアーム１７５、１７６が径方向に沿って並べて設けられている。上記一対のアーム１７５、１７６のうち径方向外側のアーム１７５は、径方向内側の端部が一対の立壁部１７４に固定された固定端となり、径方向外側の端部が軸方向に撓む自由端となる。一方、一対のアーム１７５、１７６のうち径方向内側のアーム１７６は、径方向外側の端部が一対の立壁部１７４に固定された固定端となり、径方向内側の端部が軸方向に撓む自由端となる。
【００４０】
そして、上記一対のアーム１７５、１７６の自由端には各々、背面に向かって凸となる係止爪が設けられていて、この係止爪が指針本体２０に設けられた係止突起２０１Ａ、指針本体２０の受光面Ｍｊに各々係止される。このアーム１７５、１７６に設けられた係止爪は各々、互いに近づくに従って背面に近づくテーパ面が設けられている。これら一対のアーム１７５、１７６は、薄肉に設けられた底壁部１７３上に設けられている。また、図２に示すように、一対の立壁部１７４には、指針本体２０の係止突起２０２Ａと係止する正面に向かって凸となる係止突起１７４Ａが設けられている。
【００４１】
以上の構成によれば、第１部材２０１の受光面Ｍｊ側の端部を基部１７の径方向外側の端部から底壁部１７３上に重ねて径方向内側に向かってスライドさせると、図１に示すように、指針本体２０に設けた係止突起２０１Ａが基部１７に設けたアーム１７５に係止し、指針本体２０の受光面Ｍｊが基部１７に設けたアーム１７６に係止する。またこのとき、図３に示すように、立壁部１７４に設けた係止突起１７４Ａと第２部材２０２に設けた係止突起２０２Ａとが係止して、基部１７に指針本体２０を取り付けることができる。
【００４２】
また、図１〜図４に示すように、上記肉厚の底壁部１７３の正面には、軸部１７７が突設されている。上記軸部１７７には、底壁部１７３を貫通する圧入孔１７７Ａが設けられていて、この圧入孔１７７Ａにモータ１１の回転軸１６を圧入することにより、基部１７がモータ１１の回転軸１６に取り付けられる。また、肉厚の底壁部１７３の正面には、径方向に互いに間隔を空けて並べられた一対の第１係止部としての係止突起１７８、１７９が設けられている。上記軸部１７７は、この一対の係止突起１７８、１７９の間に配置されている。
【００４３】
上記バランスウエイト部１７２は、図２及び図３に示すように、基部１７の幅方向両端から突出するように設けられている。このバランスウエイト部１７２は、回転軸１６にかかる後述する基板１８、ＬＥＤ光源１９及び指針本体２０の重量を相殺するためのウエイトである。
【００４４】
上記基板１８は、ＬＥＤ光源１９が実装される例えばＨＰＣ（紙フェノール基板、ガラスコンポジット基板）から構成されている。基板１８としては、熱変形防止対策として両面基板を用いてもよいし、安価な片面基板を採用しても良い。また、基板１８の端面（側面）に硬化接着材、メッキなどの熱変形防止膜（図示せず）を設けて、基板１８の熱変形を防止するようにしてもよい。基板１８の背面には、ＬＥＤ光源１９が実装されている。
【００４５】
上記基板１８は、図２〜図４に示すように、係止突起１７８、１７９と各々係止する第２係止部としての一対の係止孔１８１、１８２と、軸部１７７が挿入される軸部挿入孔１８３と、が設けられている。以上の構成によれば、図１に示すように、基部１７に設けた係止突起１７８を基板１８に設けた係止孔１８１に挿入して係止し、基部１７に設けた係止突起１７９を基板１８に設けた係止孔１８２に挿入して係止すると、基部１７の正面に基板１８を取り付けることができる。
【００４６】
上記ＦＰＣ１３は、メイン基板１０と基板１８との間に接続された電源供給用の電線である。ＦＰＣ１３は、図５に示すように、一対の帯状の導体１３Ａと、この導体１３Ａを覆う絶縁シート１３Ｂと、から構成された帯状のフラット回路体である。ＦＰＣ１３は、図２及び図３に示すように、その幅方向がメイン基板１０と垂直になるようにＦＰＣ１３の一端部がメイン基板１０に接続する。
【００４７】
詳しくは、図５に示すように、ＦＰＣ１３の一端部には、その幅方向の一方側の端部にメイン基板１０と接続される第１接続部としてのコネクタ１３Ｃが設けられている。また、ＦＰＣ１３の他端部には、その幅方向の他方に向かって突出する凸部１３Ｄが設けられている。この凸部１３Ｄの突出方向の端部は、絶縁シートが除去されていて内部の導体１３Ａが露出している。この凸部１３Ｂの端部から露出した導体１３Ａが、基板１８と接続される第２接続部となる。
【００４８】
また、上記凸部１３Ｄは、図６に示すように、その他端が基板１８の背面に重ねられて先端から露出した導体１３Ａが基板１８に半田付けされて電気的に接続される。また、凸部１３Ｄは、他端に連なる部分が基板１８の幅方向の一方の側面、基板１８の正面、基板１８の幅方向の他方の側面に重ねられて巻き付けられている。これにより、ＦＰＣ１３は、基板１８の幅方向の他方側から引き出される。また、ＦＰＣ１３の基板１８の正面に重ねられている部分は、図示しない接着材により基板１８に接着されている。
【００４９】
上記保護部材１４は、図２及び図３に示すように、樹脂などにより形成されていて、メイン基板１０の正面側にリング状に設けられている。この保護部材１４は、指針１０５の回転に伴うＦＰＣ１３のメイン基板１０上での可動範囲を囲むように設けられている。そして、メイン基板１０の保護部材１４に囲まれた部分には、ＦＰＣ１３との干渉を防止するため電気部品が搭載されないようにしている。リング状の保護部材１４には開口１４Ａが設けられていて、その開口１４ＡからＦＰＣ１３の端部が引き出されてメイン基板１０に接続されている。
【００５０】
上述した表示装置１００によれば、電線が、ＦＰＣ１３で構成され、ＦＰＣ１３の幅方向が、メイン基板１０と垂直になるようにＦＰＣ１３の一端がメイン基板１０に接続されている。従って、基板１８の回転に応じてＦＰＣ１３が容易に変形できるため、回転する基板１８とＦＰＣ１３との接続部分に信頼性を損なう応力がかかることがない。また、基板１８の回転に応じてＦＰＣ１３が容易に変形するため、基板１８の回転に応じてＦＰＣ１３が立ち上がることがないので、従来のように規制部を設ける必要がなく、ＦＰＣ１３の規制部への取り付け作業が不要となる。このため、基板１８とＦＰＣ１３との接続部分の信頼性及び作業性の向上を図ることができる。
【００５１】
また、上述した表示装置１によれば、保護部材１４を設けることにより、保護部材１４よりも外側に電線が移動することがないので、メイン基板１０上の電気部品と電線とが干渉することを防止できる。
【００５２】
また、上述した表示装置１によれば、ＦＰＣ１３の一端には、その幅方向の一方側の端部にメイン基板１０と接続されるコネクタ１３Ｃが設けられ、ＦＰＣ１３の他端には、その幅方向の他方側に向かって突出する凸部１３Ｄと、当該凸部１３Ｄの突出方向の端部に露出された基板１８と接続される導体１３Ａと、が設けられている。従って、ＦＰＣ１３を捻ったりすることなく、メイン基板１０と基板１８とを接続することができ、より一層、基板１８とＦＰＣ１３との接続部分の信頼性を図ることができる。
【００５３】
また、上述した表示装置１によれば、ＦＰＣ１３の凸部１３Ｄは、その端部が基板１８の正面に重ねて基板１８に電気的に接続され、端部に連なる部分が基板１８の幅方向の一方の側面、基板１８の背面、基板１８の幅方向の他方の側面に重ねて巻き付けられている。このように、ＦＰＣ１３を基板１８に巻き付けることにより、基板１８回転時にＦＰＣ１３が捻じれることがない。また、基板１８回転時に基板１８とＦＰＣ１３との間に発生する応力が直接、接続部分にかかることがなく、より一層、基板１８とＦＰＣ１３の接続部分の信頼性の向上を図ることができる。
【００５４】
また、上述した表示装置１によれば、ＦＰＣ１３は、基板１８の背面に重ねられている部分が接着剤により基板１８に接着されているので、基板１８回転時に基板１８とＦＰＣ１３との間にかかる応力が接着剤で接着されている部分で吸収されるため、より一層、基板１８とＦＰＣ１３との接続部分の信頼性を図ることができる。
【００５５】
なお、上述した実施形態によれば、図６に示すように、ＦＰＣ１３の凸部１３Ｄを基板１８に巻き付けていたが、本発明はこれに限ったものではない。例えば図７に示すように、単に、ＦＰＣ１３の凸部１３Ｄの端部を基板１８の背面に重ねて電気的に接続し、端部に連なる部分を基板１８の幅方向一方から引き出すようにしてもよい。しかしながら、この場合、基板１８の回転に応じてＦＰＣ１３が捩じれて、半田付け部分（接続部分）にストレスを与える恐れがある。その結果、半田付け部分の剥離などにより、ＦＰＣ１３と基板１８との接触不良が生じてＬＥＤ光源１９が点灯しないなどの不具合が生じる可能性がある。このため、図６に示すようにＦＰＣ１３の凸部１３Ｄを基板１８に巻き付けるのが好ましい。
【００５６】
また、上述した実施形態によれば、図１〜図４に示すように指針１２を構成していたが、本発明はこれに限ったものではない。指針１２としては、導光性のある指針本体２０と、この指針本体２０に光を入射して発光させるＬＥＤ光源１９と、ＬＥＤ光源１９が搭載される基板１８と、から構成されていて、これら指針本体２０、ＬＥＤ光源１９及び基板１８がモータ１１によって回転するものであればよく、例えば、図７及び図８に示すような構成であってもよい。
【００５７】
また、上述した実施形態によれば、ＦＰＣ１３の凸部１３Ｄは、その端部が基板１８の背面に重ねて電気的に接続され、端部に連なる部分が基板１８の幅方向一方の側面、基板１８の正面、基板１８の幅方向他方の側面に巻き付けられていたが、本発明はこれに限ったものではない。例えば、図７及び図８に示すように、基板１８の正面とＦＰＣ１３とを電気的に接続する必要があれば、ＦＰＣ１３の凸部１３Ｄの端部を基板１８の正面に重ねて電気的に接続し、凸部１３Ｄの端部に連なる部分が基板１８の幅方向の一方側の側面、基板１８の背面に巻き付けるようにしてもよい。
【００５８】
また、上述した実施形態によれば、メイン基板１０と基板１８とを接続する電線としてＦＰＣ１３を用いていたが、本発明はこれに限ったものではない。電線としては、フラット回路体であればよく、例えばＦＦＣ（Flexible Flat Cable）であってもよい。
【００５９】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００６０】
４      指針装置
１０    メイン基板
１２    指針
１３    ＦＰＣ（電線、フラット回路体）
１３Ａ  導体（第２接続部）
１３Ｃ  コネクタ（第１接続部）
１３Ｄ  凸部
１４    保護部材
１８    基板
１９    ＬＥＤ光源
２０    指針本体
【図１】
0005555516.tif 000002
【図２】
0005555516.tif 000003
【図３】
0005555516.tif 000004
【図４】
0005555516.tif 000005
【図５】
0005555516.tif 000006
【図６】
0005555516.tif 000007
【図７】
0005555516.tif 000008
【図８】
0005555516.tif 000009
【図９】
0005555516.tif 000010